(57)【特許請求の範囲】
【請求項１】
複数の誘導照明器具と、前記複数の誘導照明器具を所定の動作パターンでそれぞれ点灯制御する複数の制御ユニットと、自火報装置からの火災信号に基づいて動作させる前記制御ユニットのアドレス及び動作パターンを示すパターン番号とを前記制御ユニットに送信する主制御盤とを備え、前記誘導照明器具を所定の順序で点滅させることによって、点滅の順序の方向に人を誘導する照明装置において、前記主制御盤に第１の信号線を介して前記制御ユニットをわたり配線するとともに、前記制御ユニットに第２の信号線を介して前記誘導照明器具をわたり配線し、前記主制御盤との間で前記第１の信号線を介して信号を授受する第１の送受信手段と、前記第１の送受信手段が受信した動作パターンのパターン番号に対応した制御信号を前記第２の信号線を介して前記誘導照明器具に送信する第２の送受信手段と、前記第１の送受信手段の通信用ドライバを制御して前記第１の信号線をわたり配線形式からバス配線形式に切り替える第１の切替手段とを前記制御ユニットに設けるとともに、前記制御ユニットとの間で第２の信号線を介して信号を授受する第３の送受信手段と、前記第３の送受信手段の通信用ドライバを制御して前記第２の信号線をわたり配線形式からバス配線形式に切り替える第２の切替手段と、前記第３の送受信手段が受信した制御信号に基づいてランプを点灯・消灯させる点灯制御部とを前記誘導照明器具に設け、前記制御ユニット又は前記誘導照明器具にハード的な物理アドレスを設定する場合はそれぞれ前記第１、第２の信号線をわたり配線方式に切り替え、物理アドレスの設定時以外は前記第１、第２の信号線をバス配線方式に切り替えることを特徴とする照明装置。
【請求項２】
複数の前記誘導照明器具をグループ分けして、前記グループ内で所定の前記誘導照明器具を順次点滅させる際に、前記グループと前記グループにおける個々の前記誘導照明器具を識別するための論理アドレスを前記誘導照明器具に設定し、前記誘導照明器具の点滅動作を点検する時は前記物理アドレスを用い、前記誘導照明器具を所定の順序で点滅させて人を誘導する時は前記論理アドレスを用いることを特徴とする請求項１記載の照明装置。
【請求項３】
わたり配線された前記制御ユニット及び前記誘導配線器具は、それぞれ、前段から送られた値を自己の物理アドレスとして設定するとともに、自己の物理アドレスに所定の数値を加算又は減算した値を次段に送信することを特徴とすることを特徴とする請求項１記載の照明装置。
【請求項４】
複数の前記誘導照明器具をグループ分けして、前記グループ内で所定の前記誘導照明器具を順次点滅させる際に、前記制御ユニットは制御信号として前記グループを構成する前記誘導照明器具の個数を前記誘導照明器具に送信し、前記誘導照明器具は前記物理アドレスと前記個数に基づいて前記グループと前記グループにおける個々の前記誘導照明器具を識別するための論理アドレスを設定することを特徴とする請求項１記載の照明装置。
【請求項５】
前記制御信号が複数の前記誘導照明器具のデータを含み、前記誘導照明器具では前記点灯制御部が前記制御信号から該当するデータを取り出してランプを点灯・消灯させることを特徴とする請求項１記載の照明装置。
【請求項６】
前記制御ユニットに前記第２の信号線の終端に接続された前記誘導照明器具との間で信号を授受する第４の送受信手段と、前記第２の信号線の断線を検知する第１の断線検知手段を設けるとともに、前記誘導照明器具に前記第２の信号線の断線を検知する第２の断線検知手段を設け、前記第２の信号線の終端に接続された前記誘導照明器具の第３の送受信手段と前記第４の送受信手段を接続して前記第２の信号線をループ状とし、前記第１の断線検知手段が前記第２の信号線の断線を検知すると前記第４の送受信手段から前記誘導照明器具に制御信号を送出し、前記第２の断線検知手段が前記第２の信号線の断線を検知すると前記第３の送受信手段の通信用ドライバを制御して、制御信号の送信方向を反転させることを特徴とする請求項１記載の照明装置。
【請求項７】
前記第１及び第２の断線検知手段が前記第２の信号線の断線の復旧を検知すると、前記制御ユニットが第２及び第４の送受信手段からリセット信号を前記第２の信号線に送信し、前記第３の送受信手段の通信用ドライバを元の方向に戻すことを特徴とする請求項６記載の照明装置。
【請求項８】
前記制御ユニットに前記第１の信号線の断線を検知する第３の断線検知手段を設け、点灯動作中に前記第３の断線検知手段が前記第１の信号線の断線を検知した場合、前記制御ユニットは予め設定された動作パターンで前記誘導照明器具を点灯制御することを特徴とする請求項１記載の照明装置。
【発明の詳細な説明】
【０００１】
【発明の属する技術分野】
本発明は、複数の誘導照明器具を所定の順序で点滅させることにより、点滅の順序の方向に人々を誘導する照明装置に関するものである。
【０００２】
【従来の技術】
従来より、この種の大規模な照明装置としては、例えば特開平６−２９０３５７号公報に示されるように、各区画に連続的に配設された複数の誘導照明器具と、区画毎に設けられ該区画に配設された誘導照明器具の点灯・消灯を制御する制御ユニットと、火災感知器や熱感知器等の感知器から火災の発生を知らせる信号が入力されると、火災の発生場所に応じて各誘導照明器具の点滅方向を決定し、各制御ユニットに誘導照明器具の点滅方向を含む誘導制御信号を出力する制御盤とを備えたものがあった。この照明装置では、制御ユニット及び誘導照明器具が、個々の物理アドレス設定を行う物理アドレス設定部をそれぞれ備えており、制御ユニット及び誘導照明器具の接続方式としては、誘導照明器具の点滅制御を行うのに最適なバス接続方式が用いられていた。
【０００３】
また、この種の小規模な照明装置として、制御ユニット及び誘導照明器具に個別の物理アドレスを設定するという概念はなく、制御ユニットと誘導照明器具とをわたり配線して、制御ユニットから送信された制御信号を、各誘導照明器具がその都度演算し、その演算結果に基づいて各誘導照明器具が点灯するか否かを決定するものもあった。
【０００４】
【発明が解決しようとする課題】
上述した前者の照明装置の場合、照明装置の規模が大きくなると、誘導照明器具の数がかなり多くなるので、各誘導照明器具の物理アドレスを設定するのに大変な労力が必要となるという問題があった。また、各誘導照明器具の物理アドレスを自動的に設定しようとすると、物理アドレス設定のためのプログラム作成等の手間がかかるという問題があった。
【０００５】
一方、後者の照明装置の場合、各誘導照明器具に物理アドレスを設定する必要はないが、各誘導照明器具は制御信号の演算結果を次段の誘導照明装置に送信しているので、誘導照明器具の数が増えると、制御信号の演算に要する時間が増加して、制御速度が遅くなるという問題があった。
本発明は上記問題点に鑑みて為されたものであり、請求項１乃至８の発明の目的は、大規模な照明装置においても、自動的に物理アドレスを設定できるとともに、制御速度が遅くなることがない照明装置を提供することにある。
【０００６】
【課題を解決するための手段】
請求項１の発明では、上記目的を達成するために、複数の誘導照明器具と、複数の誘導照明器具を所定の動作パターンでそれぞれ点灯制御する複数の制御ユニットと、自火報装置からの火災信号に基づいて動作させる制御ユニットのアドレス及び動作パターンを示すパターン番号とを制御ユニットに送信する主制御盤とを備え、誘導照明器具を所定の順序で点滅させることによって、点滅の順序の方向に人を誘導する照明装置において、主制御盤に第１の信号線を介して制御ユニットをわたり配線するとともに、制御ユニットに第２の信号線を介して誘導照明器具をわたり配線し、主制御盤との間で第１の信号線を介して信号を授受する第１の送受信手段と、第１の送受信手段が受信した動作パターンのパターン番号に対応した制御信号を第２の信号線を介して誘導照明器具に送信する第２の送受信手段と、第１の送受信手段の通信用ドライバを制御して第１の信号線をわたり配線形式からバス配線形式に切り替える第１の切替手段とを制御ユニットに設けるとともに、制御ユニットとの間で第２の信号線を介して信号を授受する第３の送受信手段と、第３の送受信手段の通信用ドライバを制御して第２の信号線をわたり配線形式からバス配線形式に切り替える第２の切替手段と、第３の送受信手段が受信した制御信号に基づいてランプを点灯・消灯させる点灯制御部とを誘導照明器具に設け、制御ユニット又は誘導照明器具にハード的な物理アドレスを設定する場合はそれぞれ第１、第２の信号線をわたり配線方式に切り替え、物理アドレスの設定時以外は第１、第２の信号線をバス配線方式に切り替えているので、信号線をバス配線方式とわたり配線方式とで兼用することができ、省配線を図ることができる。また、制御ユニットと誘導照明器具との間を各動作に適した配線形式に切り替えることができる。
【０００７】
請求項２の発明では、請求項１の発明において、複数の誘導照明器具をグループ分けして、グループ内で所定の誘導照明器具を順次点滅させる際に、グループとグループにおける個々の誘導照明器具を識別するための論理アドレスを誘導照明器具に設定し、誘導照明器具の点滅動作を点検する時は物理アドレスを用い、誘導照明器具を所定の順序で点滅させて人を誘導する時は論理アドレスを用いているので、全てのグループに対して一つの制御信号を送信するだけで点灯制御することができ、制御ユニットから送信する制御信号の数を少なくすることができる。
【０００８】
請求項３の発明では、請求項１の発明において、わたり配線された制御ユニット及び誘導配線器具は、それぞれ、前段から送られた値を自己の物理アドレスとして設定するとともに、自己の物理アドレスに所定の数値を加算又は減算した値を次段に送信しているので、この処理を順次行うことによって全ての誘導照明器具に効率良く物理アドレスを設定することができる。
【０００９】
請求項４の発明では、請求項１の発明において、複数の誘導照明器具をグループ分けして、グループ内で所定の誘導照明器具を順次点滅させる際に、制御ユニットは制御信号としてグループを構成する誘導照明器具の個数を誘導照明器具に送信し、誘導照明器具は物理アドレスと個数に基づいてグループとグループにおける個々の誘導照明器具を識別するための論理アドレスを設定しているので、個々の誘導照明器具に論理アドレスを設定する必要がなく、論理アドレスの設定を容易に行うことができる。
【００１０】
請求項５の発明では、請求項１の発明において、制御信号が複数の誘導照明器具のデータを含み、誘導照明器具では点灯制御部が制御信号から該当するデータを取り出してランプを点灯・消灯させているので、制御ユニットから各誘導照明器具に送信する制御信号の数を減らすことができる。
請求項６の発明では、請求項１の発明において、制御ユニットに第２の信号線の終端に接続された誘導照明器具との間で信号を授受する第４の送受信手段と、第２の信号線の断線を検知する第１の断線検知手段を設けるとともに、誘導照明器具に第２の信号線の断線を検知する第２の断線検知手段を設け、第２の信号線の終端に接続された誘導照明器具の第３の送受信手段と第４の送受信手段を接続して第２の信号線をループ状とし、第１の断線検知手段が第２の信号線の断線を検知すると第４の送受信手段から誘導照明器具に制御信号を送出し、第２の断線検知手段が第２の信号線の断線を検知すると第３の送受信手段の通信用ドライバを制御して、制御信号の送信方向を反転させているので、断線箇所までの誘導照明器具へは第２の送受信手段で、断線箇所以降の誘導照明器具へは第４の送受信手段で制御信号を送信することができる。
【００１１】
請求項７の発明では、請求項６の発明において、第１及び第２の断線検知手段が第２の信号線の断線の復旧を検知すると、制御ユニットが第２及び第４の送受信手段からリセット信号を第２の信号線に送信し、第３の送受信手段の通信用ドライバを元の方向に戻しているので、断線が復旧した後は第２の送受信手段から誘導照明器具へ制御信号を送信することができる。
【００１２】
請求項８の発明では、請求項１の発明において、制御ユニットに第１の信号線の断線を検知する第３の断線検知手段を設け、点灯動作中に第３の断線検知手段が第１の信号線の断線を検知した場合、制御ユニットは予め設定された動作パターンで誘導照明器具を点灯制御しているので、断線発生時に誘導照明器具が不動作となるのを防止できる。
【００１３】
【発明の実施の形態】
本発明の実施の形態を図面を参照して説明する。
（実施形態１）
本実施形態の照明装置は、図１に示すように、自火報装置（図示せず）から火災発生を示す信号が入力される主制御盤１と、主制御盤１の出力に基づいて、誘導照明器具３10，３11，３12…、３20，３21，３22…を所定の動作パターンで点滅させる制御ユニット２1 ，２2 …とから構成されており、誘導照明器具３10，３11，３12…、３20，３21，３22…が所定の順序で点滅することによって、点滅の順序に応じた方向に光が走行しているかのように視認させ（この動作を「点滅走行」と呼ぶ。）、光の進む方向に人々を誘導する。ここで、制御ユニット２1 ，２2 …は第１の信号線たる信号線４を介して主制御盤１に、誘導照明器具３10，３11，３12…、３20，３21，３22…は、それぞれ、第２の信号線たる信号線５を介して制御ユニット２1 ，２2 …にわたり配線されている。
【００１４】
主制御盤１は、図２に示すように、自火報装置から火災発生などを示す信号を授受する自火報Ｉ／Ｆ部１１と、制御ユニット２1 ，２2 …との間で信号を授受する第１の送受信手段たる通信入出力部１２ａ，１２ｂと、誘導照明器具３10…の動作パターンを示すパターン番号などのデータを記憶するメモリ部１３と、自火報Ｉ／Ｆ部１１が受信した信号に基づいて動作させる制御ユニット２1 ，２2 …のアドレスや動作パターンを示すパターン番号をメモリ部１３から読み込み通信入出力部１２ａ，１２ｂから制御信号として各制御ユニット２1 ，２2 …へ送信させるＣＰＵ１４とから構成される。
【００１５】
制御ユニット２1 …は、図３に示すように、主制御盤１との間で信号を授受する第１の送受信手段たる通信入出力部２２と、各誘導照明器具３10…との間で信号を授受する第２、第４の送受信手段たる通信入出力部２１ａ，２１ｂと、誘導照明器具３10…の動作パターンを示すデータなどを記憶するメモリ部２３と、通信入出力部２２が受信したデータに基づいて対応する動作パターンのデータをメモリ部２３から読み出して、通信入出力部２１ａ，２１ｂから各誘導照明器具３10…へ送信させるＣＰＵ２４とから構成される。
【００１６】
誘導照明器具３10…は、図４に示すように、制御ユニット２或いは他の誘導照明器具との間で信号を授受する第３の送受信手段たる通信入出力部３１と、通信入出力部３１が受信した信号などを記憶するメモリ部３３と、通信入出力部３１が受信した信号に基づいてランプ３５を点灯させる点灯制御信号を発生するＣＰＵ３２と、ＣＰＵ３２の点灯制御信号に基づいてランプ３５を点灯制御する点灯制御部３４とから構成される。
【００１７】
主制御盤１と制御ユニット２1 …との間、制御ユニット２1 …と誘導照明器具３10…との間で信号を授受する通信入力部１２ａ，１２ｂ，２１ａ，２１ｂ，２２，３１は、例えば、ＥＩＡ（Electronic Industries Association ）によって規定されたＲＳ−４８５規格の伝送方式を用いており、２線式の差動伝送を行っている。
【００１８】
まず、制御ユニット２1 …と誘導照明器具３10…との間を接続する信号線４を例として、誘導動作や点検動作などの通常動作時における各部の動作について説明する。なお、主制御盤１と制御ユニット２1 …との間の信号線５についても同様であるので、その説明は省略する。
誘導動作時には、照明装置の規模が大きい程すなわち誘導照明器具３10…の数が多い程、制御速度を速くすることが要求されるので、制御ユニット２…と誘導照明器具３10…との間の配線形式としては、一度に複数の誘導照明器具３10…に信号を送信できるバス配線形式とすることが望まれる。
【００１９】
制御ユニット２1 …又は他の誘導照明器具３11…との間の信号伝送に用いられる通信入出力部３１は、図６に示すように、通信用ドライバＤ2 ，Ｄ3 と通信用レシーバＲ2 ，Ｒ3 とアンド回路ＡＮＤ1 ，ＡＮＤ2 とから構成される。ＣＰＵ３２の端子Ｔｘにはアンド回路ＡＮＤ1 ，ＡＮＤ2 の一方の入力端子が接続され、端子Ｒｘには通信用レシーバＲ2 ，Ｒ3 の出力端子が接続される。アンド回路ＡＮＤ1 ，ＡＮＤ2 の他方の入力端子はそれぞれ通信用レシーバＲ3 ，Ｒ2 の出力端子に接続され、アンド回路ＡＮＤ1 ，ＡＮＤ2 の出力端子はそれぞれ通信用ドライバＤ2 ，Ｄ3 の入力端子に接続される。通信用ドライバＤ2 の出力端子と通信用レシーバＲ2 の入力端子は信号線５1 （通常、入力側）に接続され、通信用ドライバＤ3 の出力端子と通信用レシーバＲ3 の入力端子は信号線５2 （通常、出力側）に接続される。また、通信用ドライバＤ2 ，Ｄ3 の制御端子にはそれぞれ第２の切替手段たるＣＰＵ３２のコントロール端子ｃｎｔ1 ，ｃｎｔ2 が接続される。
【００２０】
ここで、通信用ドライバＤ2 ，Ｄ3 の制御端子にハイレベルの信号が印加されると、通信用ドライバＤ2 ，Ｄ3 はアクティブ状態となり、ローレベルの信号が印加されると、通信用ドライバＤ2 ，Ｄ3 はハイインピーダンス状態となる。通常、ＣＰＵ３２のコントロール端子ｃｎｔ1 はローレベル、コントロール端子ｃｎｔ2 はハイレベルとなり、通信用ドライバＤ2 はハイインピーダンス状態、通信用ドライバＤ3 はアクティブ状態となるので、信号線５1 から入力された信号は通信用レシーバＲ2 を介してＣＰＵ３２の端子Ｒｘに入力されるとともに、通信用レシーバＲ2 →アンド回路ＡＮＤ2 →通信用ドライバＤ3 の経路でスルーされ、信号線５2 を介して次段の誘導照明器具３11…に送信されるので、信号線５1 ，５2 は仮想的なバス配線となる。
【００２１】
このように、ＣＰＵ３２のコントロール端子ｃｎｔ1 ，ｃｎｔ2 の設定によって信号線５1 ，５2 を仮想的なバス配線とし、誘導照明器具３10…間をバス接続しているので、複数の誘導照明器具３10…に一度に信号を送信することができ、誘導動作時の制御速度を速めることができる。なお、制御ユニット２1 …の通信入出力部２２は、誘導照明器具３10…の通信入出力部３１と同様の構成であり、第１の切替手段たるＣＰＵ２４の動作もＣＰＵ３２の動作と同様であるので、その説明は省略する。
【００２２】
次に、誘導照明器具３10…を例として、各誘導照明器具３10…に物理アドレスを設定する場合の配線状態を説明する。なお、制御ユニット２1 …についても同様であるので、その説明は省略する。
多数の誘導照明器具３10…に物理アドレスを設定する場合、各誘導照明器具３10…間をわたり配線している方が望ましい。例えば、図１に示すように、制御ユニット２1 に１番目に接続されている誘導照明器具３10に物理アドレスとして１を送信する。この誘導照明器具３10は自己の物理アドレスとして１をメモリ部３３に記憶させる。そして、誘導照明器具３10は、誘導照明器具３10にわたり配線されている誘導照明器具３11に、自己の物理アドレスに１を足した結果を次段の誘導照明器具３11の物理アドレスとして送信する。この作業を繰り返し行うことによって、制御ユニット２1 にわたり配線されている全ての誘導照明器具３10…に効率的に物理アドレスを設定することができる。
【００２３】
この時、制御ユニット２1 に１番目に接続された誘導照明器具３10の通信入出力部３１では、制御ユニット２1 から物理アドレスが入力されるのを受信待ちしている場合、ＣＰＵ３２のコントロール端子ｃｎｔ1 ，ｃｎｔ2 を共にローレべルとし、通信用ドライバＤ2 ，Ｄ3 をそれぞれハイインピーダンス状態として、通信用レシーバＲ2 〜アンド回路ＡＮＤ2 〜通信用ドライバＤ3 の経路を遮断し、制御ユニット２1 から信号線５1 を介して送信された物理アドレスは通信用レシーバＲ2 によって受信され、ＣＰＵ３２の端子Ｒｘに入力される。したがって、１番目に接続された誘導照明器具３10のみが制御ユニット２から送信された物理アドレスを受信する。
【００２４】
また、誘導照明器具３10から次段の誘導照明器具３11に物理アドレスを出力する場合、ＣＰＵ３２のコントロール端子ｃｎｔ1 をローレベル、コントロール端子ｃｎｔ2 をハイレベルとする。この時、通信用ドライバＤ2 はハイインピーダンス状態となり、通信用ドライバＤ3 はアクティブ状態となるので、通信用ドライバＤ3 はＣＰＵ３２の端子Ｔｘから出力された物理アドレスを信号線５2 を介して次段の誘導照明器具３11に出力する。この処理を繰り返し実行することによって、全ての誘導照明器具３10…に自動的に物理アドレスを設定することができる。
【００２５】
なお、制御ユニット２1 と信号線５の終端に接続された誘導照明器具３10…とを接続して、信号線５をループ状に配線すれば、制御ユニット２1 は終端の誘導照明器具から出力された物理アドレスを読み込むことができるので、接続されている誘導照明器具３10…の数を把握することができる。
（実施形態２）
本実施形態では、図７に示すように、実施形態１の照明装置において、制御ユニット２1 ，２2 …の一方の通信入出力部２１ａを誘導照明器具３10，３20…に信号線５を介して接続するとともに、他方の通信入出力部２１ｂを終端の誘導照明器具３1n，３2n…に信号線５を介して接続し、信号線５をループ状とする。同様にして、主制御盤１の一方の通信入出力部１２ａを制御ユニット２1 に信号線４を介して接続するとともに、他方の通信入出力部１２ｂを終端の制御ユニット２m に信号線４を介して接続し、信号線４をループ状とする。なお、基本的な構成は実施形態１の照明装置と同様であるので、同一の構成要素には同一の符号を付し、その説明を省略する。
【００２６】
本実施形態の照明装置は、主制御盤１と制御ユニット２1 …とを接続する信号線４や、制御ユニット２1 …と誘導照明器具３10…とを接続する信号線５が断線した場合でも、各制御ユニット２1 …及び各誘導照明器具３10…を正常に動作させることができるフェールセーフ機能を有している。ここでは、制御ユニット２1 と誘導照明器具３10，３11，３12…３1nとを接続するループ状の信号線５を例として、このフェールセーフ機能について説明する。なお、主制御盤２と各制御ユニット２1 ，２2 …２m との間を接続するループ状の信号線４についても同様であるので、その説明は省略する。
【００２７】
主制御盤１から制御ユニット２1 に制御信号として動作パターンを示すパターン番号等の動作信号が入力されていない場合（待機状態）、制御ユニット２1 は誘導照明器具３10，３11，３12…３1nへの電力供給を停止する。そして、主制御盤１から制御ユニット２1 にパターン番号等の動作信号が入力されると、制御ユニット２1 は誘導照明器具３10，３11，３12…３1nに図示しない電力線を介して電力を供給し、誘導動作を開始する。
【００２８】
制御ユニット２1 は誘導動作を開始すると、図８（ａ）に示すように、一方の通信入出力部２１ａが信号線５を介して１番目に接続された誘導照明器具３10へ定期的にパターン信号等の動作信号を送信するとともに、他方の通信入出力部２１ｂが終端の誘導照明器具３19から自ら送信した動作信号を受信する。したがって、他方の通信入出力部２１ｂが終端の誘導照明器具３19から動作信号を受信している間は、信号線５に断線などの異常が発生していないものとＣＰＵ２４は判断し、通常の誘導動作を行う（図中の矢印は動作信号の送信方向を示す。以下同様）。
【００２９】
ところが、図８（ｂ）に示すように、誘導照明器具３14，３15間の信号線５が断線すると、他方の通信入出力部２１ｂは終端の誘導照明器具３19から動作信号を受信できなくなるので、第１の断線検知手段たるＣＰＵ２４はループ状の信号線５のどこかで断線が発生したものと判断し、いままで終端の誘導照明器具３19から動作信号を受信していた通信入出力部２１ｂの動作を切り換えて、両方の通信入出力部２１ａ，２１ｂから動作信号を出力する。
【００３０】
ここで、通信入出力部２１ａ，２１ｂは、図５に示すように、通信用ドライバＤ1 及び通信用レシーバＲ1 から構成される。通信用ドライバＤ1 の入力端子はＣＰＵ２４の端子Ｔｘに接続されるとともに、出力端子は２線の信号線５に接続される。通信用レシーバＲ1 の出力端子はＣＰＵ２４の端子Ｒｘに接続されるとともに、入力端子は２線の信号線５に接続される。また、ＣＰＵ２４のコントロール端子ｃｎｔが通信用ドライバＤ1 の制御端子に接続される。なお、主制御盤１の通信入出力部１２ａ，１２ｂも同様の構成であるので、その説明は省略する。
【００３１】
通信入出力部２１ｂでは、通常、ＣＰＵ２４はコントロール端子ｃｎｔの出力をローレベルとする。この時、通信用ドライバＤ1 はハイインピーダンス状態となり、信号線５を介して入力された信号は通信用レシーバＲ1 で受信され、ＣＰＵ２４の端子Ｒｘに入力される。一方、誘導照明器具３14，３15間の信号線５で断線が発生して、通信入出力部２１ｂに終端の誘導照明器具３19から動作信号が入力されなくなると、ＣＰＵ２４はコントロール端子ｃｎｔの出力をハイレベルとする。この時、通信用ドライバＤ1 はアクティブ状態となり、通信用ドライバＤ1 がＣＰＵ２４の端子Ｔｘの信号を信号線５に送信するので、通信入出力部２１ｂからも動作信号を出力することができる。
【００３２】
また、誘導照明器具３10，３11…３19は定期的に送信される動作信号を受信し、この動作信号に基づいて点滅動作を行っているが、動作信号を一定時間受信できなくなると、当該誘導照明器具よりも制御ユニット２1 側のどこかで信号線５が断線したものと第２の断線検知手段たるＣＰＵ３２が判断し、コントロール端子ｃｎｔ1 の出力をローレベルからハイレベル、コントロール端子ｃｎｔ2 の出力をハイレベルからローレベルに切り換える。この時、通信用ドライバＤ2 がアクティブ状態、通信用ドライバＤ3 がハイインピーダンス状態となるので、信号線５2 を介して入力された動作信号は、通信用レシーバＲ3 によって受信されてＣＰＵ２４の端子Ｒｘに入力されるとともに、通信用レシーバＲ3 →アンド回路ＡＮＤ1 →通信用ドライバＤ2 の経路でスルーして前段の誘導照明器具３10…に送信される。
【００３３】
このように、信号の伝送方向を通常時の方向と反転させるとができるので、断線箇所以降の誘導照明器具３15…３19では信号の伝送方向を図中左向きとし、通信入出力部２１ｂから動作信号を受信して点灯動作を継続する。したがって、信号線５が断線した場合、制御ユニット２1 …は通信入出力部２１ａ，２１ｂを用いてループ状の信号線５の両端から動作信号を送信しているので、信号線５が断線しても全ての誘導照明器具３10…に動作信号を送信することができ、誘導動作を正常に行うことができる。
【００３４】
ところで、誘導照明器具３14，３15間の信号線５の断線により上述のフェールセーフ機能が動作し、断線箇所以降の誘導照明器具３15，３16…３19が動作信号の伝送方向を図８中左向きに切り替えた後に、断線箇所が修復された場合、誘導照明器具３15，３16…３19では動作信号の伝送方向を通常の伝送方向（図８中右向き）に戻す必要がある。そこで、制御ユニット２1 では、一方の通信入出力部２１ａから断線箇所手前側の誘導照明器具３10，３11…３14へ、他方の通信入出力部２１ｂから断線箇所以降の誘導照明器具３15，３16…３19へ、それぞれ、通信入出力部３１の動作信号の伝送方向を通常時の方向（図８中右向き）に戻すためのリセット信号を送信する。したがって、全ての誘導照明器具３10，３11…３19にリセット信号を送信することができ、誘導照明器具３10，３11…３19の動作信号の伝送方向を通常の方向（図８中右向き）に確実に戻すことができる。
【００３５】
なお、制御ユニット２1 が待機状態にある場合、或いは、後述する不点点検などの点検動作を行っている場合は、制御ユニット２1 が信号線５の断線を検知しても上述のフェールセーフ機能を動作させず、断線箇所の表示のみを行う。したがって、信号線５が断線したまま動作を継続することはなく、常に断線の有無を把握することができ、照明装置の信頼性を向上させることができる。
【００３６】
本実施形態では、制御ユニット２1 と誘導照明器具３10，３11…３1aとの間の信号線５を例として説明したが、他の制御ユニット２2 …と誘導照明器具３20…との間の信号線５や、主制御盤１と制御ユニット２1 …との間の信号線４についても同様であるので、その説明は省略する。
（実施形態３）
本実施形態では、実施形態１又は２の照明装置において、制御ユニット２1 及び誘導照明器具３10…を例として各種の動作説明を行う。なお、照明装置の構成は実施形態１又は２と同様であるので、その説明は省略する。
【００３７】
各誘導照明器具３10…の物理アドレスを設定する場合の動作について、図９（ａ）〜（ｄ）を用いて説明する。
誘導照明器具３10…は信号線５を介して制御ユニット２1 に仮想的にバス接続される。まず、図９（ａ）に示すように、制御ユニット２1 の通信入出力部２１ａから全ての誘導照明器具３10…に物理アドレス設定を示すモード信号Ａを送信する。各誘導照明器具３10…では、図９（ｂ）に示すように、通信入出力部３１がモード信号Ａを受信すると、ＣＰＵ３２がモード信号Ａをメモリ部３３に格納するとともに、実施形態１で説明したように、ＣＰＵ３２のコントロール端子ｃｎｔ1 ，ｃｎｔ2 の出力を切り換えることによって、誘導照明器具３10…の配線方式をバス配線方式からわたり配線方式へ切り換える。
【００３８】
次に、図９（ｃ）に示すように、制御ユニット２1 の通信入出力部２１ａから、制御ユニット２1 に１番目に接続された誘導照明器具３10へ、誘導照明器具３10の物理アドレスＡＤ1 （例えば、数値０）を送信する。誘導照明器具３10は物理アドレスＡＤ1 （数値０）を受信すると、この物理アドレスＡＤ1 （数値０）をメモリ部３３に記憶するとともに、この物理アドレスＡＤ1 （数値０）に例えば数値１を加算した値１を次段の誘導照明器具３11に送信し、誘導照明器具３10の通信入出力部３１の配線方式をバス配線方式に切り換える。次段の誘導照明器具３11では、前段の誘導照明器具３10から送信された物理アドレスＡＤ1 （数値１）を受信すると、この物理アドレスＡＤ1 （数値１）をメモリ部３３に記憶するとともに、この物理アドレスＡＤ1 （数値１）に１を加えた値２を次段の誘導照明器具３12に送信し、誘導照明器具３11の通信入出力部３１の配線方式をバス配線方式に切り換える。
【００３９】
以下、この動作を繰り返し行うことによって、図９（ｄ）に示すように、全ての誘導照明器具３10…に物理アドレスＡＤ1 を設定することができ、制御ユニット２1 と各誘導照明器具３10との接続をバス接続方式とすることができる。なお、各誘導照明器具３10…では、前段の誘導照明器具３10…から送信された値に１以外の所定の数値を加算して物理アドレスＡＤ1 を設定しても良いし、前段の誘導照明器具３10…より送信された値から所定の値を減算して物理アドレスＡＤ1 を設定してもよい。
【００４０】
次に、信号線５の断線検出を行う場合の動作について、図１０（ａ）〜（ｅ）を用いて説明する。
通常、各誘導照明器具３10…は信号線５を介して仮想的にバス接続されている。まず、図１０（ａ）に示すように、制御ユニット２1 が通信入出力部２１ａから全ての誘導照明器具３10…へ断線検出動作を示すモード信号Ｂを送信すると、各誘導照明器具３10…ではＣＰＵ３２がモード信号Ｂをメモリ部３３に記憶させる。
【００４１】
次に、図１０（ｂ）に示すように、制御ユニット２1 は通信入出力部２１ａから全ての誘導照明器具３10…へ動作信号ｂ（例えば数値７）を送信する。各誘導照明器具３10…では、通信入出力部３１がこの動作信号ｂ（数値７）を受信すると、ＣＰＵ３２がこの動作信号７をメモリ部３３に記憶させる。
各誘導照明器具３10…では、ＣＰＵ３２が、最初に受信したモード信号Ｂに基づいて、この動作信号ｂ（数値７）と自己の物理アドレスＡＤ1 とを比較する。図１０（ｃ）に示すように、動作信号ｂ（数値７）が自己の物理アドレスＡＤ1 よりも大きい誘導照明器具３10…３16では、通信入出力部３１の通信用ドライバを制御して動作信号の伝送方向を図１０（ｃ）中左向きに反転させる。
【００４２】
そして、動作信号ｂ（数値７）が自己の物理アドレスＡＤ1 と等しい誘導照明器具３17では、図１０（ｄ）に示すように、通信入出力部３１の通信用ドライバを制御して図１０（ｄ）中左向きに伝送方向を反転させるとともに、返信信号ａ（例えば数値１）を制御ユニット２1 に返信し、返信後に通信入出力部３１の通信用ドライバを制御して伝送方向を元に戻す。また、図１０（ｅ）に示すように、誘導照明器具３17よりも制御ユニット２1 側の誘導照明器具３10…３16では、通信入出力部３１が誘導照明器具３17からの返信信号ａ（数値１）を受信すると、ＣＰＵ３２が通信入出力部３１の通信用ドライバを制御して伝送方向を元の方向（図１０中右向き）に戻している。このように制御ユニット２1 が動作信号ｂを送信してから一定時間が経過する迄に、制御ユニット２1 が所定の返信信号ａを受信できれば、信号線５に断線などの異常が発生していないものと判断する。
【００４３】
一方、動作信号ｂを送出してから一定時間内に、制御ユニット２1 が所定の返信信号ａを受信できなかった場合、各誘導照明器具３10〜３16は通信入出力部３１の通信用ドライバを制御して、動作信号の伝送方向を元の方向（図１０中右向き）に戻し、制御ユニット２1 は誘導照明器具３16，３17間で断線などの異常が発生したと判断する。そして、動作信号ｂを０から物理アドレスＡＤ1 の最大値まで順番に変化させることによって、全ての誘導照明器具３10…の断線検出を行うことができる。
【００４４】
次に、各誘導照明器具３10…に論理アドレスを設定する場合の動作について、図１１（ａ）〜（ｄ）を用いて説明する。ここで、論理アドレスとは、隣合う複数の誘導照明器具３10…からなるグループを設定し、各グループ内で誘導照明器具３10…を順次点灯させる際に、各グループと各グループ内で個々の誘導照明器具３10…を識別するために設定されたアドレスである。
まず、図１１（ａ）に示すように、制御ユニット２1 は通信入出力部２１ａから、バス接続された誘導照明器具３10…に論理アドレスＡＤ2 の設定を示すモード信号Ｃを送信する。各誘導照明器具３10…では、通信入出部３１がモード信号Ｃを受信すると、ＣＰＵ３２がこのモード信号Ｃをメモリ部３３に記憶させる。
【００４５】
例えば、誘導照明器具３10…を４個づつのグループに分け、各グループ内の１個を点灯させて、残りの３個を消灯させる場合（１点３滅）、制御ユニット２1 は、図１１（ｂ）に示すように、制御信号たる動作信号ｃとして各グループを構成する誘導照明器具３10…の個数４を送信する。
各誘導照明器具３10…では、通信入出力部３１が動作信号ｃを受信すると、ＣＰＵ３２がこの動作信号ｃをメモリ部３３に記憶させる。そして、図１１（ｃ）に示すように、最初に受信したモード信号Ｃに基づいて、ＣＰＵ３２は動作信号ｃの値４と自己の物理アドレスＡＤ1 とを用い、例えば、物理アドレスＡＤ1 を動作信号ｃの値４で除した商を上位アドレス、剰余を下位アドレスとして、論理アドレスを（商）−（剰余）に設定する。すなわち、誘導照明器具３10では物理アドレスＡＤ1 が０なので、０÷４＝商０余り０となり、論理アドレスＡＤ2 は０−０に設定される。そして、以降の誘導照明器具３11…では、順番に、論理アドレスＡＤ2 が０−１、０−２、０−３、１−０…に設定される。
【００４６】
なお、図１１（ｄ）に示すように、誘導照明器具３10，３11，３12…の物理アドレスＡＤ1 が１から順番に２，３，４…と設定されている場合は、例えば物理アドレスＡＤ1 に動作信号ｃの値４を加算した値（ＡＤ1 ＋４）を動作信号ｃの値４で除した商と剰余から、論理アドレスＡＤ2 を（商）−（剰余）に設定する。すなわち、誘導照明器具３10では物理アドレスＡＤ1 が１なので、（１＋４）÷４＝商１余り１となり、論理アドレスＡＤ2 を１−１に設定する。なお、余りが０となった場合、商から１を引いて、剰余を動作信号ｃの値４とする。例えば誘導照明器具３13では物理アドレスが４なので、（４＋４）÷４＝商２余り０となるが、剰余が０になるので、商から１を引いて、剰余を動作信号ｃの値４とし、論理アドレスＡＤ2 を１−４に設定する。このようにして誘導照明器具３10…の論理アドレスＡＤ2 を順に１−１，１−２，１−３，１−４，２−１…と設定する。
【００４７】
次に、各誘導照明器具３10…の不点検出時の動作について、図１２（ａ）〜（ｅ）を用いて説明する。ここで、不点検出とは誘導照明器具３10…のランプ３５が正常に点灯するか否かを検出する動作のことを言う。
まず、図１２（ａ）に示すように、制御ユニット２1 の通信入出力部２１ａからバス接続された誘導照明器具３10…に不点検出を示すモード信号Ｄを送信する。各誘導照明器具３10…では、通信入出力部３１がモード信号Ｄを受信すると、ＣＰＵ３２がこのモード信号Ｄをメモリ部３３に記憶させる。
【００４８】
モード信号Ｄの送信後、図１２（ｂ）に示すように、制御ユニット２1 は、通信入出力部２１ａから動作信号ｄ（例えば数値３）を各誘導照明器具３10…へ送信する。各誘導照明器具３10…では、通信入出力部３１が動作信号ｄ（数値３）を受信すると、ＣＰＵ３２はこの動作信号ｄ（数値３）をメモリ部３３へ記憶させる。
【００４９】
各誘導照明器具３10…では、ＣＰＵ３２が最初に受信したモード信号Ｄに基づいて動作信号ｄの内容を判断する。動作信号ｄが点灯信号の場合、図１２（ｃ）に示すように、動作信号ｄの値３が自己の論理アドレスＡＤ2 の下位ＡＤ2bに等しい誘導照明器具３13，３17…では、ＣＰＵ３２が点灯制御部３４に点灯信号を出力してランプ３５を点灯させる（図１２中の○印は点灯している誘導照明器具を示す。以下同様）。一方、動作信号ｄの値３が論理アドレスＡＤ2 の下位ＡＤ2bと異なる誘導照明器具３10…３12，３14…３16，３18…では、ＣＰＵ３２が点灯制御部３４に消灯信号を出力してランプ３５を消灯させる。また、前回受信した動作信号ｄによってランプ３５が点灯されている場合は、例えばランプ３５のランプ電流或いはランプ電圧などからランプ３５が点灯しているか否かを検出する（不点検出）。
【００５０】
一方、動作信号ｄが返信要求信号の場合、各誘導照明器具３10ではＣＰＵ３２が動作信号ｄの値３と自己の物理アドレスＡＤ1 とを比較し、図１２（ｄ）に示すように、動作信号ｄの値３が自己の物理アドレスＡＤ1 よりも大きい誘導照明器具３10…３12では、通信入出力部３１の通信用ドライバを制御して、動作信号の伝送方向を図中左向きに反転する。動作信号ｄの値３が自己の物理アドレスＡＤ1 に等しい誘導照明器具３13では、通信入出力部３１の通信用ドライバを制御して、動作信号の伝送方向を図中左向きとして、上述の不点検出を行った結果（例えば、点灯であれば１、不点灯であれば０）を返信信号として制御ユニット２1 に返信し、通信入出力部３１の通信用ドライバを制御して、動作信号の伝送方向を図中右向きとする。動作信号の値３が自己の物理アドレスＡＤ1 よりも大きい誘導照明器具３10…３12では、誘導照明器具３13からの返信信号を受信して前段の誘導照明器具３10…に送信した後、図１２（ｅ）に示すように、通信入出力部３１の通信用ドライバを制御して、信号の伝送方向を元の方向（図１２中、右向き）に戻す。以上より動作信号ｄの値を物理アドレスＡＤ1 の最小値（例えば数値０）から最大値まで変化させることによって、全ての誘導照明器具３10…の不点検出を行うことができる。
【００５１】
次に、各誘導照明器具３10…の誘導動作時の動作について、図１３乃至図１６を用いて説明する。例えば、複数の誘導照明器具３10…を４個づつのグループに分け、各グループ内の１個を点灯させるとともに、残りの３個を消灯させるものとする。
図１３（ａ）に示すように、主制御盤１は制御ユニット２1 へ各誘導照明器具３10…の動作パターンを示すパターン番号イを送信する。制御ユニット２1 では、メモリ部２３に図１３（ｂ）に示すメモリテーブル２３ａが設定されており、メモリテーブル２３ａには各パターン番号イ，ロ…毎に誘導照明器具３10…の点滅方向を示す８ビットの方向信号が記憶されている。ＣＰＵ２４はメモリ部２３のメモリテーブル２３ａからパターン番号イの方向信号を読み込み、通信入出力部２１ａから各誘導照明器具３10へ誘導動作を示すモード信号Ｅを送信する。各誘導照明器具３10では通信入出力部３１がモード信号Ｅを受信すると、ＣＰＵ３２がこのモード信号Ｅをメモリ部３３に記憶させる。
【００５２】
モード信号Ｅの送信後、図１４に示すように、制御ユニット２1 は通信入出力部２１ａから信号線５を介して各誘導照明器具３10…へ動作信号ｅ（例えば１）を送信する。各誘導照明器具３10…では通信入出力部３１が動作信号ｅを受信すると、この動作信号ｅをメモリ部３３に記憶させる。
ＣＰＵ３２は最初に受信したモード信号Ｅに基づいて動作信号ｅの内容を判断する。動作信号ｅが回数信号の場合、論理アドレスＡＤ2 の上位ＡＤ2aが、動作信号ｅに４を乗じた値から４を引いた値以上で、且つ、動作信号ｅに４を乗じた値未満である誘導照明器具３10…のみが（（４ｅ−４）≦ＡＤ2a＜４ｅ）、方向信号を演算する準備を行う。例えば、動作信号が１の場合、図１５（ａ）に示すように、上位アドレスが０以上４未満の誘導照明器具（図中、グループ１０）のみが方向信号フラグをセットし、以下の式により方向信号から各グループの点滅方向を示す方向データを取り出す際の取り出しビット数を決定する。
【００５３】
（方向信号取り出しビット数の上位）
＝（論理アドレスＡＤ2 の上位ＡＤ2aを４で除した剰余）×２＋１
（方向信号取り出しビット数の下位）
＝（論理アドレスＡＤ2 の上位ＡＤ2aを４で除した剰余）×２
例えば、図１５（ｂ）に示すように、論理アドレスＡＤ2 の上位ＡＤ2aが０の誘導照明器具３10…３13では、方向信号取り出しビット数１１の上位が１、下位が０となる。したがって、この誘導照明器具３10…では、８ビットの方向信号から１ビット目と０ビット目を２ビットの方向データとして取り出す。いま、方向信号が”１００１００００”というデータの場合、論理アドレスＡＤ2 の上位ＡＤ2aが３であれば８，７ビット目のデータ”１０”、上位ＡＤ2aが２であれば６，５ビット目のデータ”０１”、上位ＡＤ2aが１であれば４，３ビット目のデータ”００”、上位ＡＤ2aが０であれば２，１ビット目のデータ”００”を方向データとして取り出す。例えば、方向データが”１０”であれば制御ユニット２1 から離れる方向を示し、方向データが”０１”であれば制御ユニット２1 に近づく方向を示し、方向データが”００”であれば消灯状態を示す。
【００５４】
このように制御ユニット２1 が各誘導照明器具３10…に方向信号を送信すると、方向信号フラグがセットされた誘導照明器具３10…のみが方向信号を受信し、上述の処理で決定した方向信号取り出しビット数１１に対応するビットデータを方向データとして取り出す。そして、ＣＰＵ３２はこの方向データが、どの方向（例えば、制御ユニット２1 から離れる方向、制御ユニット２1 に近づく方向）或いは消灯を示しているかを判断し、それぞれの場合について以下の処理を行う。なお、本実施形態では、論理アドレスＡＤ2 の上位ＡＤ2aが０の誘導照明器具３10〜３13には制御ユニット２1 から離れる方向を示す方向データが与えられ、論理アドレスＡＤ2 の上位ＡＤ2aが１〜３の誘導照明器具３14…には制御ユニット２1 に近づく方向を示す方向データが与えられている。
【００５５】
方向データが制御ユニット２1 から離れる方向Ｄ1 の時は、図１５（ｃ）に示すように、論理アドレスＡＤ2 の下位ＡＤ2bを点灯数ｎ1 に設定する。方向データが制御ユニット２1 に近づく方向Ｄ2 の時は、グループ内の誘導照明器具の数４から１を引いた値３から論理アドレスＡＤ2 の下位ＡＤ2bを引いた値を点灯数ｎ1 に設定する。そして、図１５（ｄ）に示すように制御ユニット２1 から送信された点灯信号（例えば数値１）が点灯数ｎ1 に一致すれば、一致した誘導照明器具３11，３16…のみが点灯する。さらに図１６（ａ）〜（ｃ）に示すように、点灯信号を２，３，０…と変化させて、制御ユニット２1 から一定時間毎に点灯信号を送信すれば、点灯数ｎ1 が点灯信号に一致する誘導照明器具のみが順に点灯し、論理アドレスＡＤ2 の上位ＡＤ2aが０の誘導照明器具３10〜３13では方向Ｄ1 に、論理アドレスＡＤ2 の上位ＡＤ2aが１〜３の誘導照明器具３14…では方向Ｄ2 にあたかも光が走行しているかのように見え、人々を光の点滅方向に誘導することができる。
【００５６】
なお、本実施形態では点灯数ｎ1 を０から３までの値としているが、点灯数ｎ1 を例えば１〜４に設定する場合は、方向データが制御ユニット２1 から離れる方向Ｄ1 の時は論理アドレスＡＤ2 の下位ＡＤ2bに１を足した値を点灯数ｎ1 に設定し、方向データが制御ユニット２1 に近づく方向Ｄ2 の時はグループ内の誘導照明器具の数４から論理アドレスＡＤ2 の下位ＡＤ2bを引いた値を点灯数ｎ1 に設定すればよい。なお、方向データが消灯の場合は点灯数ｎ1 を０に設定する。そして、制御ユニット２1 から送信された点灯信号と点灯数ｎ1 が一致する誘導照明器具３10…のみが順次点灯する。
【００５７】
また、６個の誘導照明器具３10…を一つのグループとして、その内の連続する２個を点灯させ残りの４個を消灯させる場合は、方向データが制御ユニット２1 から離れる方向Ｄ1 の時は論理アドレスＡＤ2 の下位ＡＤ2bに１を足した値を点灯数ｎ1 に、論理アドレスＡＤ2 の下位ＡＤ2bを点灯数ｎ2 に設定する。方向データが制御ユニット２1 に近づく方向Ｄ1 の時はグループ内の誘導照明装置の数６から論理アドレスＡＤ2 の下位ＡＤ2bを引いた値をｎ1 に、グループ内の誘導照明装置の数６から１を引いた値５から論理アドレスＡＤ2 の下位ＡＤ2bを引いた値をｎ2 に設定する。但し、点灯数ｎ2 が０となった場合はグループ内の誘導照明装置の数６に点灯数ｎ2 を設定する。方向データが消灯の時には点灯数ｎ1 ，ｎ2 をともに０に設定する。そして、制御ユニット２1 から送信された点灯信号と点灯数ｎ1 又はｎ2 が一致する誘導照明器具３10…のみが順次点灯する。
【００５８】
上述のように、８ビットの方向信号に４つのグループの方向データを持たせ、各グループ内の誘導照明器具３10…は方向信号から自己の方向データを取り出しているので、制御ユニット２1 から誘導照明器具３10…に送信する方向信号が４分の１で済み、伝送速度を略４分の１に短縮することができる。したがって、例えば１６ｍ／ｓの点滅速度にも対応することができる（６２．５ｍＳ毎に点滅する誘導照明器具を変化させることができる）。また、制御ユニット２1 に方向信号を持たせているので、方向信号の修正などを行う際は制御ユニット２1 のデータのみを修正すれば良く、個々の誘導照明器具３10についてはデータの修正を行う必要ないので、メンテナンスが楽に行える。さらに、制御ユニット２1 から受信した点灯信号によって各誘導照明器具３10…が点灯しているので、確実に各誘導照明器具３10間の同期をとることができる。
【００５９】
なお、本実施形態では、制御ユニット２1 と誘導照明器具３10，３11…３1aとの間の信号線５を例として説明したが、他の制御ユニット２2 …と誘導照明器具３20…との間の信号線５についても同様であるので、その説明は省略する。
（実施形態４）
本実施形態の照明装置では、図７に示すように、避難口７に連通する通路８に複数の誘導照明器具３が配設されている。なお、照明装置の基本的な構成は、実施形態１と同様であるので、その説明は省略する。
【００６０】
実施形態２で説明したように、制御ユニット２1 …と誘導照明器具３10…とをそれぞれ接続する信号線５…をループ状に配線することによって、信号線５…に断線が発生しても正常に誘導動作を行うことができるが、誘導照明器具３10…の数が多い場合など信号線５…をループ状に配線するのが困難な場合がある。
本実施形態では、主制御盤１が自火報装置（図示せず）から感知器の移報を受けた場合、主制御盤１はこの移報に基づいて動作させる制御ユニット２1 …と動作パターンのパターン番号を決定し、制御ユニット２1 …のアドレスと動作パターンのパターン番号を含む信号を該当する制御ユニット２1 …に送信する。該当する制御ユニット２1 …は主制御盤１からの信号を受信して、パターン番号に対応する動作パターンで誘導照明器具３10…を点灯制御する。
【００６１】
この時、主制御盤１から信号が送られず、誘導照明器具３10…の点灯制御を行っていない制御ユニット２1 …では、他の制御ユニット２1 …が点灯制御中であることを記憶する。
この時、いずれかの制御ユニット２1 …が点灯制御を行っている間に、主制御盤１と制御ユニット２1 …との間を接続する信号線４が断線すると、火災が拡がるなどして、誘導照明器具３1 …を点灯動作させる範囲を拡大する必要が生じた場合でも、主制御盤１からの制御信号を受信することができない制御ユニット２1 …が発生する。
【００６２】
そこで、本実施形態の照明器具では、各制御ユニット２1 …の第３の断線検知手段たるＣＰＵ２４が実施形態２で説明したような方法で主制御盤１との間の信号線４の断線を検知すると、点灯制御を行っていない制御ユニット２1 …は、図１７に示すように、避難口７の周辺に配設されている誘導照明器具３（図中、斜線で示す）のみを点滅走行させる動作パターンで点灯制御する。また、点灯制御を行っている制御ユニット２1 …は、点灯制御を継続する。
【００６３】
このように、信号線４が断線した場合、点灯制御を行っている制御ユニット２1 …は点灯制御を継続し、点灯制御を行っていない制御ユニット２1 …は所定の避難口７に誘導する動作パターンで点灯制御を開始するので、信号線４の断線によって、制御ユニット２1 …が不動作となるのを防ぎ、確実に誘導動作を行うことができる。
【００６４】
【発明の効果】
請求項１の発明は、上述のように、複数の誘導照明器具と、複数の誘導照明器具を所定の動作パターンでそれぞれ点灯制御する複数の制御ユニットと、自火報装置からの火災信号に基づいて動作させる制御ユニットのアドレス及び動作パターンを示すパターン番号とを制御ユニットに送信する主制御盤とを備え、誘導照明器具を所定の順序で点滅させることによって、点滅の順序の方向に人を誘導する照明装置において、主制御盤に第１の信号線を介して制御ユニットをわたり配線するとともに、制御ユニットに第２の信号線を介して誘導照明器具をわたり配線し、主制御盤との間で第１の信号線を介して信号を授受する第１の送受信手段と、第１の送受信手段が受信した動作パターンのパターン番号に対応した制御信号を第２の信号線を介して誘導照明器具に送信する第２の送受信手段と、第１の送受信手段の通信用ドライバを制御して第１の信号線をわたり配線形式からバス配線形式に切り替える第１の切替手段とを制御ユニットに設けるとともに、制御ユニットとの間で第２の信号線を介して信号を授受する第３の送受信手段と、第３の送受信手段の通信用ドライバを制御して第２の信号線をわたり配線形式からバス配線形式に切り替える第２の切替手段と、第３の送受信手段が受信した制御信号に基づいてランプを点灯・消灯させる点灯制御部とを誘導照明器具に設け、制御ユニット又は誘導照明器具にハード的な物理アドレスを設定する場合はそれぞれ第１、第２の信号線をわたり配線方式に切り替え、物理アドレスの設定時以外は第１、第２の信号線をバス配線方式に切り替えているので、信号線をバス配線方式とわたり配線方式とで兼用することができ、省配線を図ることができるという効果がある。また、制御ユニットと誘導照明器具との間を各動作に適した配線形式に切り替えることができるという効果がある。
【００６５】
請求項２の発明は、複数の誘導照明器具をグループ分けして、グループ内で所定の誘導照明器具を順次点滅させる際に、グループとグループにおける個々の誘導照明器具を識別するための論理アドレスを誘導照明器具に設定し、誘導照明器具の点滅動作を点検する時は物理アドレスを用い、誘導照明器具を所定の順序で点滅させて人を誘導する時は論理アドレスを用いているので、全てのグループに対して一つの制御信号を送信するだけで点灯制御することができ、制御ユニットから送信する制御信号の数を少なくすることができる。したがって、点灯制御時に個々の誘導照明器具にアクセスする必要がなく、効率良く点灯制御することができるという効果がある。
【００６６】
請求項３の発明は、わたり配線された制御ユニット及び誘導配線器具は、それぞれ、前段から送られた値を自己の物理アドレスとして設定するとともに、自己の物理アドレスに所定の数値を加算又は減算した値を次段に送信しているので、この処理を順次行うことによって全ての誘導照明器具に効率良く物理アドレスを設定できるという効果がある。
【００６７】
請求項４の発明は、複数の誘導照明器具をグループ分けして、グループ内で所定の誘導照明器具を順次点滅させる際に、制御ユニットは制御信号としてグループを構成する誘導照明器具の個数を誘導照明器具に送信し、誘導照明器具は物理アドレスと個数に基づいてグループとグループにおける個々の誘導照明器具を識別するための論理アドレスを設定しているので、個々の誘導照明器具に論理アドレスを設定する必要がなく、論理アドレスの設定を容易に行うことができるという効果がある。
【００６８】
請求項５の発明は、制御信号が複数の誘導照明器具のデータを含み、誘導照明器具では点灯制御部が制御信号から該当するデータを取り出してランプを点灯・消灯させているので、制御ユニットから各誘導照明器具に送信する制御信号の数を減らすことができ、さらに誘導照明器具の制御速度を速めることができるという効果がある。
【００６９】
請求項６の発明は、制御ユニットに第２の信号線の終端に接続された誘導照明器具との間で信号を授受する第４の送受信手段と、第２の信号線の断線を検知する第１の断線検知手段を設けるとともに、誘導照明器具に第２の信号線の断線を検知する第２の断線検知手段を設け、第２の信号線の終端に接続された誘導照明器具の第３の送受信手段と第４の送受信手段を接続して第２の信号線をループ状とし、第１の断線検知手段が第２の信号線の断線を検知すると第４の送受信手段から誘導照明器具に制御信号を送出し、第２の断線検知手段が第２の信号線の断線を検知すると第３の送受信手段の通信用ドライバを制御して、制御信号の送信方向を反転させているので、断線箇所までの誘導照明器具へは第２の送受信手段で、断線箇所以降の誘導照明器具へは第４の送受信手段で制御信号を送信することができるので、断線発生時にも確実に誘導照明器具を動作させることができるという効果がある。
【００７０】
請求項７の発明は、第１及び第２の断線検知手段が第２の信号線の断線の復旧を検知すると、制御ユニットが第２及び第４の送受信手段からリセット信号を第２の信号線に送信し、第３の送受信手段の通信用ドライバを元の方向に戻しているので、断線の復旧時に各誘導照明器具の状態を確実に元に戻すことができるという効果がある。
【００７１】
請求項８の発明は、制御ユニットに第１の信号線の断線を検知する第３の断線検知手段を設け、点灯動作中に第３の断線検知手段が第１の信号線の断線を検知した場合、制御ユニットは予め設定された動作パターンで誘導照明器具を点灯制御しているので、断線発生時に誘導照明器具が不動作となるのを防止でき、確実に点灯動作を行わせることができるという効果がある。
【図面の簡単な説明】
【図１】実施形態１の照明装置を示す全体構成図である。
【図２】同上の主制御盤を示すブロック図である。
【図３】同上の制御ユニットを示すブロック図である。
【図４】同上の誘導照明器具を示すブロック図である。
【図５】同上の通信入出力部を示す回路図である。
【図６】同上の別の通信入出力部を示す回路図である。
【図７】実施形態２の照明装置を示す全体構成図である。
【図８】同上の制御ユニットと誘導照明器具との間の信号伝送を示し、（ａ）は正常時の説明図、（ｂ）は断線時の説明図である。
【図９】（ａ）〜（ｄ）は実施形態３の物理アドレス設定時の動作を示す説明図である。
【図１０】（ａ）〜（ｅ）は同上の断線検出時の動作を示す説明図である。
【図１１】（ａ）〜（ｄ）は同上の論理アドレス設定時の動作を示す説明図である。
【図１２】（ａ）〜（ｅ）は同上の不点検出時の動作を示す説明図である。
【図１３】（ａ）は同上の点灯動作時の動作を示す説明図である。（ｂ）は同上のメモリ部のメモリテーブルを示す図である。
【図１４】同上の点灯動作時の動作を示す説明図である。
【図１５】（ａ）〜（ｄ）は同上の点灯動作時の動作を示す説明図である。
【図１６】（ａ）〜（ｃ）は同上の点灯動作時の動作を示す説明図である。
【図１７】実施形態４の照明装置の配置を示す配置図である。
【符号の説明】
１      主制御盤
２1 …  制御ユニット
３10…  誘導照明器具
４，５  信号線
【図１】
0003648582.tif 000002
【図２】
0003648582.tif 000003
【図３】
0003648582.tif 000004
【図４】
0003648582.tif 000005
【図５】
0003648582.tif 000006
【図６】
0003648582.tif 000007
【図７】
0003648582.tif 000008
【図８】
0003648582.tif 000009
【図９】
0003648582.tif 000010
【図１０】
0003648582.tif 000011
【図１１】
0003648582.tif 000012
【図１２】
0003648582.tif 000013
【図１３】
0003648582.tif 000014
【図１４】
0003648582.tif 000015
【図１５】
0003648582.tif 000016
【図１６】
0003648582.tif 000017
【図１７】
0003648582.tif 000018